(57)【特許請求の範囲】
【請求項１】
装置本体の前面に、解錠釦を含む各種の押釦を備えた操作パネルが取り外し可能に装着されるオーディオ装置において、前記装置本体の前面に、前記操作パネルの一端側を係止する固定部と前記操作パネルの他端側を係止する保持部とが形成されるとともに、前記固定部の近隣には係止片が揺動自在に設けられ、その係止片は一端に前記装置本体の前面に枢着される取付部を有するとともに他端に前記操作パネルの裏面に形成される側面開口部の上縁に係止する鉤部を有して該鉤部側が前記取付部を支点として前記装置本体の前面から操作パネルを離脱させる方向に向かってバネ付勢される一方、前記操作パネルは前記固定部に係合するロック片と前記保持部に係合する支持部とを有し、前記解錠釦の操作により前記固定部とロック片との係合を解除したとき、前記固定部に対して係止片の一部が係止するまで該係止片が揺動しつつ、その鉤部が操作パネルにおける前記側面開口部の上縁に係止した状態で操作パネルの一端側が前記係止片にて前記装置本体の前面から離脱する方向に押し出され、この状態で操作パネルを手前に引くことにより係止片の鉤部と操作パネルにおける側面開口部の上縁との係合を断ち得る構成としたことを特徴とする着脱自在な操作パネルを装備したオーディオ装置。
【発明の詳細な説明】
【０００１】
【産業上の利用分野】
本発明は、着脱自在な操作パネルを装備したオーディオ装置に関し、特に操作パネルの離脱時におけるぶらつきを防止し、その着脱操作を円滑かつ適正に行えるようにしたものである。
【０００２】
【従来の技術】
近年、オーディオ装置として、ＣＤプレーヤ、ＭＤプレーヤ、テープレコーダなどが普及しており、今後にあってはＤＡＴと称するデジタル・オーディオ・テープレコーダなどの普及も望まれているところである。
【０００３】
このようなオーディオ装置、特に自動車に搭載されるカーオーディオにあって、例えばコンパクトディスクなどの記録媒体をドライブするドライブ機構などを内蔵した装置本体と、選曲操作などを行うための操作パネルとを盗難防止用として分離できるようにしたものがある。
【０００４】
従来、その種のオーディオ装置として、例えば図８に示すようなものが知られている。図８において、Ａは装置本体、Ｂは操作パネルであり、操作パネルＢは取り外し可能な状態で装置本体Ａの前面に装着できるようにしてある。
【０００５】
装置本体Ａの前面両側にはそれぞれ突部Ｃと溝部Ｄがあり、操作パネルＢにはこれに対応して突部Ｅと溝部Ｆが設けてある。又、装置本体ＡにはバネＧを突設し、操作パネルＢには突部Ｅをその内部に引き込むための押釦Ｈを設けている。
【０００６】
そして、このオーディオ装置によれば、操作パネルＢの装着時に装置本体Ａ側の突部Ｃと操作パネルＢ側の溝部Ｆが係合し、また溝部Ｄと突部Ｅが係合して操作パネルＢが装置本体Ａに対して固定されるようになっている。一方、その状態において押釦Ｈを押し込むと突部Ｅが後退して溝部Ｄとの係合が解除され、このときバネＧの作用で操作パネルＢが押し出されるようになっている。
【０００７】
【発明が解決しようとする課題】
しかしながら、上記従来のオーディオ装置によれば、操作パネルが押し出されたとき、その一端側がぶらついて落下し、場合によっては操作パネルがその衝撃で破損するなどの危険性があった。このため、従来では操作パネルの離脱操作を行ったあと、手を操作パネルに当てたままにしてこれを保持するようにしていたから操作性も悪いものであった。
【０００８】
特に、車両用にして押し出された操作パネルが走行振動により大きくぶらつくため、走行中の操作において交通事故を起こす畏れがあるなど安全性の点でも大きな問題となっていた。
【０００９】
そこで、本発明は操作パネルの離脱時におけるぶらつきを防止し、その着脱操作を円滑かつ適正に行えるようにしようとするものである。
【００１０】
【課題を解決するための手段】
本発明は上記課題を達成するため、装置本体の前面に、解錠釦を含む各種の押釦を備えた操作パネルが取り外し可能に装着されるオーディオ装置において、前記装置本体の前面に、前記操作パネルの一端側を係止する固定部と前記操作パネルの他端側を係止する保持部とが形成されるとともに、前記固定部の近隣には係止片が揺動自在に設けられ、その係止片は一端に前記装置本体の前面に枢着される取付部を有するとともに他端に前記操作パネルの裏面に形成される側面開口部の上縁に係止する鉤部を有して該鉤部側が前記取付部を支点として前記装置本体の前面から操作パネルを離脱させる方向に向かってバネ付勢される一方、前記操作パネルは前記固定部に係合するロック片と前記保持部に係合する支持部とを有し、前記解錠釦の操作により前記固定部とロック片との係合を解除したとき、前記固定部に対して係止片の一部が係止するまで該係止片が揺動しつつ、その鉤部が操作パネルにおける前記側面開口部の上縁に係止した状態で操作パネルの一端側が前記係止片にて前記装置本体の前面から離脱する方向に押し出され、この状態で操作パネルを手前に引くことにより係止片の鉤部と操作パネルにおける側面開口部の上縁との係合を断ち得る構成としたことを特徴とする着脱自在な操作パネルを装備したオーディオ装置を提供するものである。
【００１１】
【作用】
本発明によれば、装置本体の前面に装着された操作パネルの解錠釦を押すと、ロック片が作動して装置本体側の固定部との係合が解除される。そして、このとき係止片により操作パネルの一端側が押し出されることになる。特に、このときその一端側は係止片の鉤部により支持されるとともに他端側は保持部により支持される。このため、操作パネルは車両の走行振動などでもぶらつかず安定状態を保つことができる。
【００１２】
一方、操作パネルの装着時には、装置本体側の保持部と操作パネル側の支持部とを係合し、その状態にして操作パネルの一端側を押し込むと、装置本体の固定部と操作パネルのロック片とが係合して操作パネルが装置本体に固定されることになる。
【００１３】
【発明の実施の形態】
以下、本発明の好適な一例を図面に基づいて詳細に説明する。図１は本発明に係るオーディオ装置として、ラジオ機能を備えた車載用テープレコーダを示す。
【００１４】
図１において、１は車内のダッシュボード等に固定されるテープレコーダの本体であり、その中にはカセットテープをドライブするドライブ機構や電子機器類が内蔵してある。
【００１５】
一方、２は着脱自在な操作パネルであり、この操作パネル２にはカセットテープを装置本体１に装填するための装填口３が開口してある。又、その表面には選曲その他の操作を行う各種の押釦が設けてある。例えば、４は主電源用のスイッチ釦、５はカセットテープの早送り釦、６はその巻戻し釦、７はその取出用釦、８はラジオ用の選局釦、９は操作パネル２を装置本体１から離脱させるための解錠釦であり、操作パネル２はその解錠釦９を押し込むことにより装置本体１から離脱することができる。
【００１６】
次に、図２は操作パネルを取り外した装置本体の前面を示す。図２において、１０は操作パネルの装填口３に対応する開閉自在な開口部であり、カセットテープはその開口部１０を通じて装置本体１中に装填される。１１，１２，１３は可動軸であり、このうち可動軸１１は操作パネルの取出用釦７により押し込まれて装置本体１中におけるカセットテープの排出機構を動作させる。又、可動軸１２は早送り釦５により押し込まれて装置本体１中に装備した図示せぬ巻取リールを高速回転させ、他方の可動軸１３は巻戻し釦６により押し込まれて装置本体１中に装備した図示せぬ供給リールを高速回転させる。ここで、１４はコネクタの端子、１５は固定部、１６は保持部、１７は係止片である。
【００１７】
次に、図３は操作パネルの裏面を示す。図３において、１８は装置本体の端子１４と対応する電極であり、操作パネル２の装着時にはその電極１８と装置本体の端子１４とが嵌合し、装置本体１と操作パネル２とが電気的に接続される。又、１９は操作パネル２の一端側の一部に形成した側面開口部、２０は操作パネルの他端側に形成した支持部、２１は側面開口部１９より先端を突出する状態で操作パネルの内部に収容したロック片である。
【００１８】
図４は係止片の平面図であり、図５には図４におけるＸ−Ｘ線断面を示している。これらの図で明確にしているように、係止片１７は合成樹脂などで成る板状であり、その一端には円柱状の回転軸として取付部２２を形成し、他端には突片２３を介してその両側に鉤部２４を形成している。このうち、突片２３は片側に傾斜状にして立ち上げてあり、鉤部２４はその逆側に向けてＬ字形に屈曲してある。
【００１９】
次に、図６は装置本体の前面に操作パネルを装着した状態を示す断面図である。この図に示すように、装置本体１において、その前面には低面部２５と高面部２６があり、固定部１５は高面部２６から一部が低面部２５側に突出する状態で装置本体１の前面の一端側に形成してある。固定部１５の近隣における低面部２５には切欠部２７があり、その切欠部２７には係止片１７を取り付けてある。又、切欠部２７には板バネ２８を固定し、その板バネ２８の一部で係止片１７の取付部２２を押えて装置本体１の前面に枢着している。
【００２０】
板バネ２８は弾力片２８ａをもち、その弾力片２８ａにて係止片１７の鉤部２４側を前方に向けて付勢しているが、操作パネル２の装着時には係止片１７が板バネ２８の弾力に抗して切欠部２７に収容されるようにしてある。
【００２１】
又、装置本体１の前面の他端側には保持部１６が形成してある。図示するように、その保持部１６は装置本体１の前面の一部を凹状にした窪み１６ａと、この窪み１６ａの上部に設けた突起１６ｂとにより形成している。
【００２２】
一方、操作パネル２において、その一端側にはロック片２１が内蔵され、他端側には保持部１６に対応して支持部２０が形成してある。
【００２３】
図示するように、ロック片２１はＬ字形を呈しており、その一端側は解錠釦９の軸線上まで延ばしてピン３０にて枢着している。又、他端側は側面開口部１９から一部を突出させて固定部１５に係合するようにしている。ここで、ピン３０の外周には図示せぬ捻りバネを設けてロック片２１を図の反時計方向に付勢し、その弾力にて固定部１５との係合が適正に行えるようにしている。又、ピン３０の側には斜面部３１を形成し、解錠釦９を押し込んだ際にその解錠釦９が斜面部３１を加圧してロック片２１が上述の捻りバネの弾力に抗して時計方向に揺動するようにしている。
【００２４】
そして、このとき装置本体１と操作パネル２とのロックが解除され、係止片１７にて操作パネル２の一端側が前方に押し出されることになる。尚、このとき係止片１７の鉤部２４が側面開口部１９の上縁両側に係止して操作パネル２の一端側が保持され、その他端側も保持部１６と支持部２０の係合を以て保持されることになる。ここで、支持部２０は窪み１６ａに嵌合する隆起部２０ａと、その外側の一部を切り欠いた切欠溝２０ｂで形成され、切欠溝２０ｂには保持部１６の突起１６ｂが係合するようにしてある。
【００２５】
次に、図７は操作パネルを装置本体から取り外す際の状態を示す。操作パネル２を装置本体１から取り外すには解錠釦９を押し込むのであり、これによりロック片２１が斜面部３１を加圧されて図の時計方向に揺動し、このときロック片２１と固定部１５との係合が断たれるようになる。
【００２６】
すると、板バネ２８にて付勢されている係止片１７が取付部２２を支点にして揺動を始め、操作パネル２の一端側を押し出すようになる。尚、このとき係止片１７の鉤部２４が側面開口部１９の上縁に係止して操作パネル２の一端側を保持するとともに、操作パネル２の他端側は保持部１６と支持部２０との係合により保持される。このため、操作パネル２はその状態にして自動車の走行振動などでもぶらつかず、安定状態を保つことになる。そして、その状態で操作パネル２を手前に引けば、鉤部２４と側面開口部１９との係合が断たれて操作パネル２を装置本体１から取り外すことができる。
【００２７】
尚、図の状態において、係止片１７は突片２３が固定部１５に係止して前方への揺動を規制されるようになる。
【００２８】
以上、本発明の適用例を図面に基づいて説明したが、本発明はテープレコーダのほか、ＣＤプレーヤやＭＤプレーヤなど種々のオーディオ装置に利用できることは勿論である。
【００２９】
【発明の効果】
以上の説明で明らかなように、本発明によれば、解錠釦の操作で固定部とロック片との係合を解除して係止片により操作パネルの一端側が押し出されるようにしたため操作性が良好であり、しかも押し出された操作パネルの一端側が係止片の鉤部で支持されるとともに他端側が保持部と支持部の係合を以て支持されるため車両の走行振動などによるぶらつきがなく、その状態にして操作パネルを装置本体から容易かつ適正に取り外すことができる。
【００３０】
又、装置本体に操作パネルのロック片に係合する固定部と支持部に係合する保持部を形成していることから操作パネルを装置本体に確実に固定することができ、更に係止片を前方に向けて付勢していることから固定部とロック片の係合がより確実になり、しかも離脱時にはその弾力を以て操作パネルを摘み易い位置まで確実に押し出すことができる。
【図面の簡単な説明】
【図１】本発明に係るオーディオ装置として車載用テープレコーダを示した斜視図
【図２】操作パネルを取り外した状態を示す装置本体の正面図
【図３】操作パネルの裏面図
【図４】装置本体の前面に取り付けられる係止片の平面図
【図５】図４におけるＸ−Ｘ線断面図
【図６】装置本体に操作パネルを装着した状態を示す断面図
【図７】操作パネルを装置本体から取り外すときの状態を示す断面図
【図８】着脱自在な操作パネルを装備した従来のオーディオ装置の斜視概略図
【符号の説明】
１  装置本体
２  操作パネル
９  解錠釦
１５  固定部
１６  保持部
１７  係止片
２０  支持部
２１  ロック片
２２  取付部
２４  鉤部
２８  板バネ
【図１】
0003691162.tif 000002
【図２】
0003691162.tif 000003
【図３】
0003691162.tif 000004
【図４】
0003691162.tif 000005
【図５】
0003691162.tif 000006
【図６】
0003691162.tif 000007
【図７】
0003691162.tif 000008
【図８】
0003691162.tif 000009